(57)【要約】      （修正有）【課題】従来技術のズボン穿きサポート補助用具では、ズボンを腰まで引き上げる機能がない発明や椅子に座って体を前後に揺動させなければならない発明があり、力を入れてズボンを引いたり、椅子から落下しないようバランスを取りながらズボンを引かなければならなく、身体に障害のある方には難しかったので、これを解決したサポート椅子を提供する。【解決手段】ズボン穿きサポート椅子として、座面に組み込まれたローラー６とクリップ付きの布３を巻き取る装置（モーターとリモコンを含む）と背もたれ上部の棚と脚部の裾ガイド棒と肘掛を設けて構成した。これにより、片手で安定した姿勢で、ズボン穿きができる。ズボン脱ぎをサポートする台として、座面に組み込まれたローラー６とクリップ付きの布を巻き取る装置（モーターとリモコンを含む）と裾ガイド棒３８を設けて構成した。これにより、片手で安定した姿勢で、ズボン脱ぎができる。【選択図】図１
2016123828.tif 000002
【特許請求の範囲】
【請求項１】
座面に組み込まれたローラーとクリップ付きの布を巻き取る装置と背もたれ上部の棚と脚部の裾ガイド棒と肘掛とを設けたズボン穿きサポート椅子。
【請求項２】
座面に組み込まれたローラーとクリップ付きの布を巻き取る装置と裾ガイド棒とを設けたズボン脱ぎサポート台。
【発明の詳細な説明】
【技術分野】
【０００１】  本考案は、身体に障碍がある方が使用する椅子に関する。
【背景技術】
【０００２】  従来のズボン穿きをサポートする器具には、膝が痛くて曲げ難い方を対象にした、足先から下腿までズボンを引き上げる補助用具がある（例えば、特許文献１参照。）
また、腰痛の方を対象にした、椅子に座って体を前傾、後傾させながらズボンを穿く自助具がある（例えば、特許文献２参照。）。
【先行技術文献】
【特許文献】
【０００３】
【特許文献１】  特開２００７−２０９７２３
【特許文献２】  特開２００８−３０７３４５
【発明の概要】
【発明が解決しようとする課題】
【０００４】  以上に記載した、足先から下腿までズボンを引き上げる補助用具では、ズボンを腰まで引き上げる機能がない。
また、以上に記載した、椅子に座って体を前傾、後傾させながらズボンを穿く自助具では、体を大きく揺動させなければならず、身体に障碍がある方が使用するのは難しい上、姿勢を崩して椅子から落下するリスクがある。【０００５】  本発明は、このような従来の構成が有していた問題を解決しようとするものであり、片手だけでのズボン穿き脱ぎを実現することを目的とするものである。
【課題を解決するための手段】
【０００６】  請求項１に記載の考案は、座面に組み込まれたローラーとクリップ付きの布を巻き取る装置と背もたれ上部の棚と脚部の裾ガイド棒と肘掛から構成したことを要旨とする。
従って、請求項１に記載の考案によれば、ズボンを穿く場合、椅子の背もたれ上部の棚にズボンのベルト部を仮置きし、クリップ付き布のクリップでズボンのウエストバンド部を挟む。ズボンを仮置き棚から椅子の座面に移して、椅子の座部前端に垂らす。ズボン裾の内側を裾ガイド棒に入れて裾を束ね、足を入れやすくする。
ズボンの裾に足を入れて椅子に着座する。リモコンで椅子後部から布の巻き取りを開始することで、ズボンは椅子の後方へゆっくり引かれる。布には体重がかかっているが、座面のローラーによる摩擦力軽減で水平方向への布の移動は容易となる。布は下腿の裏、臀部の下を通ってゆっくり巻き取られていくことになり、布の端面のクリップで留められたズボンも下腿、腰の上まで引き上げられていく。布が引かれることで姿勢が崩れる場合は、肘掛に身体を寄せることで安定させる。布の停止、送りは、リモコンによって適宜モーターがコントロールされる。これらの動作、操作は、安定した姿勢でズボンを腰の上まで引き上げられだけではなく、片手で行えるという効果がある。【０００７】  請求項２に記載の考案は、座面に組み込まれたローラーとクリップ付きの布を巻き取る装置と裾ガイド棒から構成したことを要旨とする。
従って、請求項２に記載の考案によれば、ズボンを脱ぐ時は、請求項１のズボン穿きサポート椅子に座り、足をズボン脱ぎサポート台に乗せて、ズボンの裾にクリップ付き布のクリップを付けて、裾ガイド棒につま先を寄せることで、つま先は裾ガイド棒と複数のクリップで形成される空間に包まれることになる。布を巻き取ることで、つま先や足首に無理な力がかからずズボンは脱げてことになる。布の停止、送りは、リモコンによって適宜モーターでコントロールされる。
これらの動作、操作は、安定した姿勢でズボンを脱げるだけではなく、片手で行えるという効果がある。
【発明の効果】
【０００８】  請求項１に記載の考案は、ズボンを穿く場合、安定した姿勢を保ちながら、ズボンを腰の上まで引き上げられる。ズボンを穿くための動作、操作は、片手で行える。【０００９】  請求項２に記載の考案は、ズボンを脱ぐ場合、安定した姿勢を保ちつつ、足先と足首に無理な力がかからずにズボンを脱げる。ズボンを脱ぐための動作、操作は、片手で行える。【００１０】  請求項１に記載の考案において、肘掛を可倒式とすることで、車椅子から移乗して、ズボンの穿き脱ぎができる。
【図面の簡単な説明】
【００１１】
【図１】本発明の一実施例を示す斜視図
【図２】本発明の動作を示す斜視図  ズボンをはく場合（ケース１）
【図３】本発明の動作を示す図  ズボンをはく場合（ケース２）
【図４】本発明の動作を示す斜視図  ズボンを脱ぐ場合
【発明を実施するための形態】
【実施例】
【００１２】  以下、本考案を具体化した実施例を図面１に基づいて構成を説明する。
ローラー６は、椅子の座面に水平に組み込まれている。
モーター１２は、椅子の座面裏面に取り付けられており、減速用の歯車１３を有する。布巻き取りローラー１０は、椅子の座面裏面に取り付けられており、減速用の歯車１１を有する。ワニ口形状のクリップ２は布３に取り付けられている。布３は布を巻き取るローラー１０とつながっている。モーターを制御する制御部８は、椅子の座面裏面に取り付けられている。リコモン４は、制御部８と電気配線７で結ばれている。制御部８は電気配線を介してモーター１２とつながっている。歯車１１と歯車１３は噛みあって減速機となっている。歯車１１は、巻取りローラー１０の端部に取り付けられている。棚部１は背もたれ上部に取り付けられている。可倒式肘掛５は椅子の左右に取り付けられている。裾ガイド棒１４は、椅子前部の足元左右に取り付けられている。【００１３】  レール台２０は、車輪用溝２２と電気配線２１を有する。【００１４】  サポート台３０の上面は、ローラー４５と裾ガイド棒３８とクリップ３９と布４０とローラー３７を有する。サポート台３０の内部は、モーター３２と歯車３３と電気配線３１と布巻き取りローラー４１と減速用の歯車４２とモーター４３と歯車４４を有する。モーター４１とモーター３２は、電気配線３１によって制御部８とつながっている。サポート台３０の下面は、車輪３６と歯車３４と車輪用シャフト３５と車輪４７と車輪用シャフト４６を有する。【００１５】  以下、上記構成の動作を説明する。
ズボンを穿く場合、図２に示すように、ズボン前面が椅子の棚部１に重なるように仮置きする。ズボンの背部ベルト部をクリップ２ではさむ。ズボンを椅子座面の前端に向けて裏返す。ズボンの裾を裾ガイド棒１４に入れて、裾ガイド棒１４がズボンの筒の中に納まるようにする。布３を座面のローラー６の上に平らに敷き詰めるように整える。ズボンを穿く人は、椅子に座って、ズボンの裾に足を入れる。両足がズボンの筒に入ったら、リモコン４で、巻き取りローラー１０を起動する。リモコン４からの指令は、制御部８を経由して、モーター１３に伝わる。モーター１３の回転力は、歯車１３から歯車１１に減速して伝わり、巻き取りローラー１０をゆっくり回転させる。この結果、巻取りローラー１０により、布３はローラー９を介してゆっくり巻き取られる。布３はズボンを穿く人の体重を受けているが、座面のローラー６による摩擦力低減で、巻き取られていく。布３はクリップ２を介してズボンと連結しているので、ズボンも椅子後方へ引かれていく。ズボンを穿く人は、片手でズボンの穿き具合を整え、シャツの裾をズボンに入れる等の身支度をしていく。ズボンが腰の上に来たところで、リモコン４で巻き取りローラー１０を停止する。片手でズボンのファスナー等を止め、ベルトを締めて、クリップ４を外して、ズボン穿きが終了する。【００１６】  足を曲げてズボンを穿けない場合を図３に示す。ズボンのおしり側の面を椅子の棚部１の上に仮置きする。ズボンの背部ベルト部をクリップ２ではさむ。リモコン４で巻き取りローラー１０を起動し、布３を繰り出す。こうすることで、図３に示すように、ズボンを椅子の背面に垂直に垂らすことができる。穿けそうな位置までズボンの高さを下げて、リモコン４で巻き取りローラー１０を停止する。ズボンの筒に足を入れた後、リモコン４で巻き取りローラー１０を起動し、布をゆっくり巻き取る。布はクリップを介してズボンと連結しているので、ズボンもゆっくり垂直方向に上昇する。片手でズボンの穿き具合を整え、シャツの裾をズボンに入れる等の身支度をしていく。ズボンが腰の上に来たところで、リモコン４で巻き取りローラー１０を停止する。片手でズボンのファスナー、フックを止め、ベルトを締めて、クリップ４を外せば、ズボン穿きが終了する。【００１７】  ズボンを脱ぐ場合、１つの方法は、ズボン穿きサポート椅子に座って、座面ローラーによる滑りを使いながら自分でズボンを引き下ろす。【００１８】  ２つ目の方法は、座って足を伸ばした状態で、ズボンの裾を引くことでズボンを脱ぐやり方で、図１に示すように、椅子とサポート台３０とレール台２０を使う。サポート台３０の車輪３６と車輪４７は、レール台２０の車輪用溝２２に置かれ、リモコン４からの指令を制御部８が受けて、電気配線２１と電気配線３１を経てモーター３２に伝え、モーター３２はモーターの端部にある歯車３３と噛みあっている車輪用シャフト４６の歯車３４を駆動することで、車輪３６を回転させる。このようにして、サポート台３０は、リモコン４でレール台２０の上を移動し、椅子とサポート台３０の距離を調整できる。【００１９】  ズボンを脱ぐために、椅子に座り、足をサポート台３０に乗せて足先が裾ガイド棒３８に触れる程���に、リモコン４で椅子とサポート台３０の距離を調整する。さらに、左右のズボンの裾の筒部が、図４に示すように、裾ガイド棒３８に被るようにリモコン４で椅子とサポート台３０の距離を微調整する。左右のズボンの裾にそれぞれワニ口形状のクリップ３９を取り付ける。ズボンのファスナー、フック、ベルト等を緩める。リモコン４で、巻き取りローラー４１を起動する。リモコン４からの指令は、制御部８を経由して、電気配線２１と電気配線３１を通ってモーター４３に伝わる。モーター４３の回転力は、歯車４４から歯車４２に減速して伝わり、巻き取りローラー４１をゆっくり回転させる。この結果、巻取りローラー４１により、クリップ３９の付いた布４０はローラー３７を介してゆっくり巻き取られる。クリップ３９は、ズボンの裾に取り付いているので、ズボンも巻き取られる方向へ移動する。ズボンは脱ごうとする人の体重で座面に押し付けられているが、ローラー６により摩擦力が低減されているので、ズボンは脱げていく。ズボンが引かれることで、体の姿勢が不安定になる場合は、肘掛を使って安定させる。ズボン裾は裾ガイド棒３８によって束ねられる。ズボンの筒部が足先から脱げたら、リモコン４でモーター４３を停止する。
【符号の説明】
【００２０】１  棚部
２  クリップ
３  布
４  リモコン
５  肘掛
６  ローラー
８  制御部
１０  布巻取りローラー
１２  モーター
１４  裾ガイド棒
２０  レール台
３０  サポート台
３２  モーター
３８  裾ガイド棒
３９  クリップ
４０  布
４１  布巻取りローラー
４３  モーター
４５  ローラー
【図１】
2016123828.tif 000003
【図２】
2016123828.tif 000004
【図３】
2016123828.tif 000005
【図４】
2016123828.tif 000006